(57)【要約】      （修正有）【課題】閉扉時の扉のガタ付きを防止する、扉のガタ付き防止装置の提供。【解決手段】扉３の自由端部に取付けられた回転デッド錠４の回転デッド５は、錠箱４ａに回転自在に軸支され、また、少なくとも先端部側に楔係合部分５ａが形成され、一方、扉用縦枠１に固定される受け金具２には、楔係合部分５ａに係脱する係合孔２ａが形成されている。固定部材としての受け金具２は、回転デッド５の回転施錠時、回転デッド５の楔係合部分５ａと受け金具２の係合孔２ａの摩擦面或いは摩擦個所に生ずる楔作用により、扉３を受け金具２のセンターに引き寄せる。【選択図】図２
2007247203.tif 000002
【特許請求の範囲】
【請求項１】
扉用縦枠に固定される受け金具と、扉の自由端部に取付けられた回転デッド錠との組み合わせから成る回転デッド錠における扉のガタ付き防止装置であって、前記回転デッド錠の回転デッドは、錠箱に回転自在に軸支され、また、少なくとも先端部側に楔係合部分が形成され、一方、前記受け金具には、前記楔係合部分に係脱する被楔係合部分が形成され、固定部材としての受け金具は、回転デッドの回転施錠時、回転デッドの楔係合部分と受け金具の被楔係合部分の摩擦面或いは摩擦個所に生ずる楔作用により、扉を受け金具のセンターに引き寄せることを特徴とする回転デッド錠における扉のガタ付き防止装置。
【請求項２】
請求項１に於いて、回転デッドの楔係合部分の縦断面形状の左右の斜面は、受け金具の被楔係合部分を形成する係合孔の受け面に対応することを特徴とする回転デッド錠における扉のガタ付き防止装置。
【請求項３】
請求項２に於いて、被楔係合部としての係合孔は、二等辺三角形状、羽子板形状、舟形状のいずれかであることを特徴とするデッド錠における扉のガタ付き防止装置。
【請求項４】
請求項１に於いて、フロントの開口は、回転デッドの回転を許容する大きさに形成され、また開口は、回転デッドが左右方向へガタ付かないように、該回転デッドの左右の摩擦面の傾斜角度に対応して形状されていることを特徴とするデッド錠における扉のガタ付き防止装置。
【発明の詳細な説明】
【技術分野】
【０００１】
本発明は、回転デッド錠における扉のガタ付き防止装置に関する。
【背景技術】
【０００２】
特許文献１には、扉を閉じた時、扉が受け金具の係合孔に対して、扉の開閉方向へガタ付かない工夫がなされている。その工夫は、例えば受け金具を構成するトロヨケの凹部に、ラッチとの間隙を埋めるスペーサを内装する事項である。
【０００３】
ところで、建物の出入り口の扉に取付けられている錠前は、普通一般に、「ラッチ」と「本施錠用デッドボルト」とが上下方向に所要間隔を有して併設されているが、扉のガタ付き防止を図る場合、特許文献１に記載のように、ラッチに対して扉のガタ付き防止装置を講じるのが一般的であった。換言すると、本施錠用デッドボルトに対して、扉のガタ付き防止装置を講じることはしない。
【０００４】
しかし、近年、時代の要請で、本施錠用デッドボルトに対しても、扉のガタ付き防止を図ることが期待されている。
【特許文献１】特開２００５−３３０７０４号公報
【発明の開示】
【発明が解決しようとする課題】
【０００５】
本発明の第１の目的は、本施錠用デッドボルトの一例としての回転デッド錠に対して、扉のガタ付き防止を図ることである。特に、閉扉時に、扉を受け金具のセンターに引き寄せることである。第２の目的は、部品点数を少なくして第１の目的を達成することができることである。
【課題を解決するための手段】
【０００６】
本発明の回転デッド錠における扉のガタ付き防止装置は、扉用縦枠に固定される受け金具と、扉の自由端部に取付けられた回転デッド錠との組み合わせから成る回転デッド錠における扉のガタ付き防止装置であって、前記回転デッド錠の回転デッドは、錠箱に回転自在に軸支され、また、少なくとも先端部側に楔係合部分が形成され、一方、前記受け金具には、前記楔係合部分に係脱する被楔係合部分が形成され、固定部材としての受け金具は、回転デッドの回転施錠時、回転デッドの楔係合部分と受け金具の被楔係合部分の摩擦面或いは摩擦個所に生ずる楔作用により、扉を受け金具のセンターに引き寄せることを特徴とする。
【０００７】
ここで、「回転デッド錠」とは、施錠片の一種で、受け金具の被楔係合部分（係合孔）に係合する先端部側の楔係合部分が、鎌片のように折れ曲がった鉤状ではない回転デッドを備える本施錠用錠前をいう。
【発明の効果】
【０００８】
（１）本施錠用デッドボルトの一例としての回転デッド錠に対しても、扉のガタ付き防止を図ることができるから、例えばラッチと併用すると、より一層の扉のガタ付き防止効果を期待することができる。付言すれば、閉扉時に扉を受け金具のセンターに引き寄せることができる。
（２）少なくとも受け金具の係合孔の形状を工夫すれば良いことから、部品点数が増えず、その結果、安価に製作することができる。
（３）請求項４に記載の発明は、扉（錠前）側の回転デッド錠が左右にガタ付かないから、前記（１）の目的を十分に達成することができる。
【発明を実施するための最良の形態】
【０００９】
以下、図１乃至図５に示す本発明を実施するための最良の形態（第１実施例）により説明する。
【００１０】
（１）発明の実施の環境
図１、図２に於いて、Ｘは扉のガタ付き防止装置、１は扉用縦枠、２はデッド用受け金具、３は水平方向へ開閉する扉、４は錠前（ここでは「回転デッド錠」と称する）、５は回転デッド錠４の回転デッドボルト（以下、「回転デッド」という。）、６はサムターンユニットの摘み、７はフロントである。そして、前記デッド用受け金具２は、トロヨケ（前面開口の箱体）８と、該トロヨケに対して固定されると共に、扉側のフロント７から回転突出する回転デッド５を受け入れるストライク（受け板）９とから成る。扉のガタ付き防止装置の主な部材は、縦枠１側の受け金具２と扉３側の回転デッド錠４である。なお、錠前は駆動源を備える電気錠か、それともシリンダー錠を備える機械式錠か否かは問わない。また、室内側のサムターンユニット６をシリンダー式に代えることもできる。
【００１１】
図１及び図２は、説明の便宜上、主に扉用縦枠１に固定された回転デッド用受け金具２と、扉３の自由端部３ａ側に固定された回転デッド錠４の回転デッド５を共に示す。
【００１２】
本実施例では、例えば室内側からサムターンユニットの摘み６を施錠方向へ所要量回転操作すると、後述するダルマを含む駆動機構（図５参照）により、回転デッド５はフロント７から回転しながら所定量突出する。この時、回転デッド５が回転突出すると、その先端部側の楔係合部分５ａは、受け金具２の被楔係合部分２ａに係合する。
【００１３】
付言すれば、回転デッド５の回転施錠時、回転デッド５の楔係合部分５ａと受け金具２の被楔係合部分２ａの傾斜状摩擦面に生ずる楔作用により、扉３を受け金具２のセンターＯに引寄せることができる。
【００１４】
ところで、ここでは、図２を基準として、受け金具２のストライク９に向かって、矢印Ａの方向を、ここでは左右方向とする（被楔係合部分２ａとしての係合孔の幅方向でもあり、或いは回転デッド５の肉厚方向でもある）。
【００１５】
また、本実施例では、扉３は外開き式に図示していることから、図１を基準にすると、１１は室内側であり、一方、１２は室外側である。さらに、付言すれば、扉の縦枠１はコンクリート製の躯体に固定され、一方、扉３の基端部は丁番（図示せず）を介して他方の扉の縦枠に取付けられている。
【００１６】
（２）主要部の構成の説明
図１及び図２は扉のガタ付き防止装置Ｘの主要部を示す各概略説明図である。図３はデッド錠の概略説明図である。
【００１７】
まず、図３を参照にして、回転デッド５の構成を説明する。回転デッド５は、全体として板状体であり、一応、形状の違いに着目すると、先端部側５ａと後端部側５ｂに区分けすることができる。
【００１８】
すなわち、５ａは先端部側の楔係合部分で、この楔係合部分５ａは、矢印Ｂ方向の先端面視は縦長台形形状であり、左右に傾斜状摩擦面１５、１５が存在する。付言すると、中心線Ｏを基準にすると、直角三角形に近い形状（直角三角形の形状や類似形状も含む）が左右対称に見える。また、矢印Ｃ方向の正面視は、ナイフの先端部形状である。したがって、楔係合部分５ａの先端面１６は、手前の上方から下方に至るにしたがって幅広となる帯状に形成されている。１７は楔係合部分５ａの上辺である。回転デッド５の楔係合部分５ａの縦断面形状は、各実施例で示すように、受け金具２の被楔係合部分（係合孔）２ａに対応する。
【００１９】
一方、５ｂは後端部側の板状係合部分で、この板状係合部分５ｂには軸孔１８が形成されている。この軸孔１８は、回転デッド５の略中心部に位置する。また、板状係合部分５ｂの後端部の上方部位には、水平案内長孔１９が形成されている。さらに、前記軸孔１８よりも下方の適宜部位には、単数又は複数個のバネ端用支持突起２０が設けられている。そして、板状係合部分の後端面は半円弧状である。
【００２０】
次に、図１及び図４を参照にして受け金具２を説明する。２ａはストライク９に形成した被楔係合部分としての係合孔である。この係合孔２ａは、本実施例では、二等辺三角形状に形成されている。この係合孔２ａの左右の傾斜状受け面２１、２１の形状は、楔係合部分５ａの左右摩擦面１５，１５の形状に対応する。
【００２１】
ところで、２２は係合孔２ａの短い上縁、２３は係合孔２ａの長い下縁である。また、当然のことながら、係合孔２ａは回転デッド５の楔係合部分５ａの縦断面形状よりも大きく、例えば係合孔２ａの開口形状に対して楔係合部分５ａの縦断面形状は相似或いは類似である。さらに、符号３５は回転デッド用支軸、３６は回転デッド用バネ部材、３７はバネ部材３６の他端部を支持する支持ピンである。支持ピン３７は錠箱４ａ側に固定されている。その他の細部的事項は割愛する。
【００２２】
（３）駆動源と動力伝達部材
図５は、回転デッド錠５の駆動モータ、ソレノイド、サムターン、シリンダー錠用のキーなどの駆動源と動力伝達部材の一例を示す。ここでは、説明の便宜上、駆動源の一例として、サムターンユニットのサムターンダルマ３１を示す。サムターンダルマ３１は、周知のように、錠箱の外側に摘み部分６（図２参照）が設けられ、室内側から該摘み部分６を回転すると、サムターンダルマと称される駆動歯車３１が所定位置まで回転する。駆動歯車３１は、回転デッド錠５側の伝動歯車部材３２と噛合する第１ギヤー部分３１ａ及び図示しない駆動モータ側の歯車伝達機構の歯車と直接又は間接的に噛合する第２ギヤー部分３１ｂを有している。なお、駆動モータ側の歯車伝達機構の一例は、特開平６−１０８７１６号公報に記載されている。
【００２３】
また、錠箱４ａに軸支された伝動歯車部材３２は、外周の一部分に前記第１ギヤー部分３１ａと噛合するギヤー部分３２ａを有すると共に、半径方向に延伸する係合アーム３２ｂを有している。係合アーム３２ｂの先端部に設けた係合ピン３３は、前述した回転デッド５の水平案内長孔１９に係合する。
【００２４】
（４）主要部の作用
図４を参照にして、主要部の作用を説明する。図４の（ａ）、（ｂ）、（ｃ）に於いて、一点鎖線は固定側部材である受け金具２のセンター（中心）を意味する。また縦断面は受け金具２被楔係合部分（係合孔２ａ）に対する楔係合部分５ａの位置を示す。
【００２５】
図４の（ａ）、（ｂ）、（ｃ）から明らかなように、回転デッド５の回転施錠時、回転デッド５の楔係合部分５ａと受け金具２の被楔係合部分２ａの両者間の摩擦面１５，２１に生ずる楔作用により、図示しない扉は、回転デッド５を介して、受け金具２のセンターＯに引寄せられる。
【００２６】
付言すれば、回転デッド５がストライク９の係合孔２ａに回転しながら入り込んだ突入の初期段階に於いて、仮に、図４（ｂ）で示すように、左側に寄っていても、又は図４（ｃ）で示すように、右側に寄っていても、被楔係合部２ａの長い下縁２３の横幅Ｗは、回転デッド５の底面の横幅Ｗ１よりも大きいから、当初、楔係合部５ａは、被楔係合部２ａに対して余裕（間隙）を持って入り込む。しかし、楔係合部５ａは回転しながら上方へと位置変位することから、一方の摩擦面１５は、被楔係合部２ａ側の対向する傾斜状受け面２１に摺接することになる。つまり、固定側部材（受け金具）２は、回転デッド５の回転施錠時、回転デッド５の楔係合部分５ａと受け金具２の被楔係合部分２ａの両者間の摩擦面に生ずる楔作用により、扉を受け金具２側のセンターＯに引き寄せる。
【実施例】
【００２７】
まず、本発明の第１実施例に於いて、回転デッド５の楔係合部分５ａの上辺１７は、刃物のように鋭利状態だと「危険」なので、望ましく平坦にすべきである。上辺１７を平坦或いはアール形状にすると、平坦の幅に対応して楔係合部分５ａが強靭になるので、防犯上の観点からも好ましい。
【００２８】
また、フロント７の開口１０は、回転デッド５の回転を許容する大きさに形成されている。そして、第１実施例の開口１０の上方は、回転デッド５が左右方向へガタ付かないように、該回転デッド５の左右の摩擦面１５、１５の傾斜角度に対応して山形形状と成っている。
【００２９】
次に、第２実施例及び第３実施例を説明する。これらの実施例の説明にあたって、第１実施例と同一の部分には、同一の符号を付して、重複する説明を省略する。
図６及び図７に示す第２実施例の扉のガタ付き防止装置Ｘ１も、第１実施例と同様に、受け金具２Ａと回転デッド５Ａの組合せから成る。
【００３０】
しかしながら、ストライク９Ａの被楔係合部分２ａの形状が、「羽子板形状」をしている点、回転デッド錠４Ａの回転デッド５Ａの形状が、普通一般に使用されている先端面矩形の杆形状である点が異なる。
【００３１】
しかして、前記被楔係合部分（係合孔）２ａは、本実施例では、いわば羽子板を逆様にした形状に見えるので、上部寄り部位に左右対称の傾斜状受け面２１Ａ、２１Ａが存在する。
【００３２】
図７を参照にすると、当然のことながら、傾斜状受け面２１Ａ、２１Ａを基準にして、下方の矩形開口の横幅Ｗは、回転デッド５Ａの肉厚（横幅）Ｗ１よりも大きい。これに対して、上方の矩形開口の横幅Ｗ２は、前記回転デッド５Ａの肉厚Ｗ１を考慮して、上手く合うように（Ｆｉｔするように）設定されている。
【００３３】
第２実施例の作用・効果に関して、図７の（ａ）、（ｂ）、（ｃ）から明らかなように、回転デッド５Ａの回転施錠時、回転デッド５Ａの楔係合部分５ａと受け金具２Ａの被楔係合部分２ａの摩擦個所１５Ａ，２１Ａに生ずる楔作用により、図示しない扉は、回転デッド５Ａを介して、受け金具２ＡのセンターＯに引寄せられる。なお、７Ａはフロントで、該フロント７Ａの開口１０Ａは縦長の長方形状である。
【００３４】
図８乃至図１０に示す第３実施例の扉のガタ付き防止装置Ｘ２も、第１実施例と同様に、受け金具２Ｂと回転デッド５Ｂの組合せから成る。
【００３５】
しかしながら、ストライク９Ｂの被楔係合部分２ａの形状が、「下向きの船形状」をしている点、回転デッド錠４Ｂの回転デッド５Ｂの形状が、前記被楔係合部分２ａの形状に対応して下向き山形状に形成されている点が異なる。
【００３６】
しかして、前記被楔係合部分（係合孔）２ａは、本実施例では、いわば船形状が下向きに見えるので、下方に左右対称の傾斜状受け面２１Ｂ、２１Ｂが位置する。また、フロント７Ｂの開口１０Ｂも、ストライク９Ｂの被楔係合部分２ａの形状に対応して相似状に形成している。
【００３７】
このように、固定部材としての受け金具２Ｂ側の被楔係合部分（係合孔）２ａの形状を設計変更すると、これに対応するように回転デッド５Ｂの形状も、例えば図９で示すように任意に変更し得る。また、図１０の（ａ）、（ｂ）、（ｃ）から明らかなように、第３実施例の場合も、回転デッド５Ｂの回転施錠時、回転デッド５Ｂの楔係合部分５ａと受け金具２Ｂの被楔係合部分２ａの摩擦個所１５Ｂ，２１Ｂに生ずる楔作用により、図示しない扉は、回転デッド５Ｂを介して、受け金具２ＢのセンターＯに引寄せられる。
【００３８】
なお、本発明の各実施例では、受け金具のストライクに対して、二等辺三角形状、羽子板形状、船形状等の被楔係合部分２ａを形成したが、発明の目的が同一である限り、トロヨケを肉厚に成形し、該トロヨケ自体に二等辺三角形状、羽子板形状、船形状等の被楔係合部分２ａを形成することもできる。また、特に図示しないが、トロヨケ内に被楔係合部分２ａを有するブロック片を内装しても良い。
【産業上の利用可能性】
【００３９】
本発明は、主に建具や錠前の業界で利用される。
【図面の簡単な説明】
【００４０】
図１乃至図５は本発明の第１実施例を示す各説明図。図６及び至図７は本発明の第２実施例を示す各説明図。図８乃至図１０は本発明の第３実施例を示す各説明図。
【図１】実施の環境を示す概略説明図。
【図２】主要部の斜視図。
【図３】回転デッドの概略説明図。
【図４】主要部の作用・効果を示す概略説明図。
【図５】駆動源を含む実施例形態の一例を示す概略説明図。
【図６】第２実施例の主要部の斜視図。
【図７】主要部の作用・効果を示す概略説明図。
【図８】第３実施例の主要部の斜視図。
【図９】回転デッドの概略説明図。
【図１０】主要部の作用・効果を示す概略説明図。
【符号の説明】
【００４１】
Ｘ、Ｘ１、Ｘ２…扉のガタ付き防止装置、１…扉用縦枠、２、２Ａ、２Ｂ…受け金具、２ａ…被楔係合部分（係合孔）、Ｏ…受け金具２のセンター、３…扉、３ａ…自由端部、４，４Ａ、４Ｂ…錠前（回転デッド錠）、４ａ…錠箱、５、５Ａ、５Ｂ…回転デッドボルト（回転デッド）、５ａ…楔係合部分（先端部側）、５ｂ…板状係合部分（後端部側）、６…摘み、７、７Ａ、７Ｂ…フロント、８…トロヨケ、９…ストライク（受け板）、１０、１０Ａ、１０Ｂ…開口、１５、１５Ａ…傾斜状摩擦面、１６…先端面、１７…上辺、１８…軸孔、１９…水平案内長孔、２２…短い上縁、２３…長い下縁。
【図１】
2007247203.tif 000003
【図２】
2007247203.tif 000004
【図３】
2007247203.tif 000005
【図４】
2007247203.tif 000006
【図５】
2007247203.tif 000007
【図６】
2007247203.tif 000008
【図７】
2007247203.tif 000009
【図８】
2007247203.tif 000010
【図９】
2007247203.tif 000011
【図１０】
2007247203.tif 000012